(57)【要約】【課題】重要設備の復旧を優先しつつ融通送電を行うことで電力供給サービスのレベルを向上させた配電系統監視制御装置を提供する。【解決手段】他の配電線からの融通送電を必要とする重要設備Ｂ１に関する設備情報を記憶する設備情報記憶部１と、配電系統Ｂの監視情報を記憶する監視情報記憶部２と、設備情報と監視情報とに基づいて、重要設備Ｂ１の配電系統情報を作成する設備状態把握部３と、監視情報に基づいて、重要設備Ｂ１の位置情報を把握する位置確認部４２と、配電系統情報と位置情報とに基づいて、重要設備Ｂ１に対して送電を行う送電ルートを検索する優先送電ルート検索部４３と、優先送電ルート検索部４３が設定した送電ルートについて、設備情報と監視情報とに基づいて融通送電を行う融通手順を作成する融通手順作成部５と、を有する。【選択図】図１
2016123221.tif 000002
【特許請求の範囲】
【請求項１】
他の配電線からの融通送電を必要とする重要設備に関する設備情報を記憶する設備情報記憶部と、
配電系統の監視情報を記憶する監視情報記憶部と、
前記設備情報と前記監視情報とに基づいて、前記重要設備の配電系統情報を作成する設備状態把握部と、
前記監視情報に基づいて、前記重要設備の位置情報を把握する位置確認部と、
前記配電系統情報と前記位置情報とに基づいて、前記重要設備に対して送電を行う送電ルートを検索する優先送電ルート検索部と、
前記優先送電ルート検索部が設定した送電ルートについて、前記設備情報と前記監視情報とに基づいて融通送電を行う融通手順を作成する融通手順作成部と、
を有することを特徴とする配電系統監視制御装置。
【請求項２】
送電ルートが予め記憶されている送電ルート記憶部を有し、
前記優先送電ルート検索部は、前記送電ルート記憶部に記憶されている送電ルートから、前記重要設備に対して送電を行う送電ルートを検索すること、を特徴とする請求項１記載の配電系統監視制御装置。
【請求項３】
前記設備情報記憶部は、複数の重要設備に関する設備情報を記憶する記憶部であり、
前記設備情報は、複数の重要設備について前記融通送電を行う優先順位に関する情報を含み、
前記優先送電ルート検索部は、前記優先順位の順に、前記重要設備に対して送電を行う送電ルートを検索することを特徴とする請求項１又は２記載の配電系統監視制御装置。
【請求項４】
前記配電系統情報は、前記重要設備が充停電のいずれの状態にあるかに関する情報を含み、
前記優先送電ルート検索部は、停電状態にある前記重要設備について前記重要設備に対して送電を行う送電ルートを検索することを特徴とする請求項１から３いずれか一項記載の配電系統監視制御装置。
【請求項５】
前記予め記憶されている送電ルートが、重要設備への経由点であることを特徴とする請求項１から４いずれか一項記載の配電系統監視制御装置。
【請求項６】
配電系統の充停電情報を記憶する充停電情報記憶部を有し、
前記優先送電ルート検索部は、開閉器の両端に接続しているノードのうち、片方が充電状態である開閉器を検索し、当該開閉器を経由する前記重要設備に対して送電を行う送電ルートを検索することを特徴とする請求項１から５いずれか一項記載の配電系統監視制御装置。
【請求項７】
前記重要設備に対して送電を行う送電ルートを検索する条件が記憶されている検索条件記憶部を有し、
前記優先送電ルート検索部は、前記検索条件を満たす送電ルートを、前記重要設備に対して送電を行う送電ルートとして設定することを特徴とする請求項１から６いずれか一項記載の配電系統監視制御装置。
【発明の詳細な説明】
【技術分野】
【０００１】
本発明の実施形態は、配電系統において指定した送電箇所へ融通送電を行う配電系統監視制御装置に関する。
【背景技術】
【０００２】
従来、配電系統における系統供給電源は、通常配電用変電所からの配電線遮断器（Feeder Circuit Breaker、以下ＦＣＢとする）を通じた供給電源である。系統事故時においては、事故点を有する区間以外であっても、事故の影響を受けて停電する場合がある。事故点を有さない停電区間である健全停電区間への送電は、ＦＣＢからの電力供給に基づく系統切替により実現される。このような健全停電区域への送電は、停電区域に対してより広域な範囲で電源を供給することを目的としている。
【０００３】
配電系統には、通常、配電系統監視制御装置が設けられている。配電系統監視制御装置は、事故発生時において、事故および事故区間を検出し、優先的に送電を行うべき融通対象区間を判断する。そして、判断された融通対象区間に対して、他の配電盤から融通送電を行うよう制御する。配電系統監視制御装置は、その他にも、任意の配電区間を作業停電させる場合に融通送電を行う制御や、過負荷状態となった配電盤に他の配電盤から過負荷解消に見合う負荷を融通送電する制御を行う。
【０００４】
以上のような融通送電を行う場合において、複数の送電ルートの中から送電損失が最小となる送電ルートを選択し、選択された送電ルート上の各開閉器に対して開閉操作指示を出力する技術が提案されている。この技術は、融通対象区間である健全停電区間へ電力を供給する際に、送電ルートの送電損失が少なくなるように設定することで、経済性と配電盤の運用効率を向上させていた。
【先行技術文献】
【特許文献】
【０００５】
【特許文献１】特開平０９−０２３５８３号公報
【発明の概要】
【発明が解決しようとする課題】
【０００６】
しかしながら、従来の配電系統監視制御装置による復旧作業は、融通対象区間に送電を行いながら、徐々に停電区間を狭めていくような制御がなされていた。そのため、変電所事故等の広域事故において、病院等の重要設備が停電した場合であっても、重要設備の復旧までに時間を要する場合があった。従って、停電による被害が甚大となる可能性が高い重要設備については、優先的に復旧を行うことが求められていた。
【０００７】
本発明の実施形態は、上記のような従来技術の問題点を解決するために提案されたものである。その目的は、重要設備の復旧を優先しつつ融通送電を行うことで電力供給サービスのレベルを向上させた配電系統監視制御装置を提供することである。
【課題を解決するための手段】
【０００８】
上記のような目的を達成するための実施形態の配電系統監視制御装置は、他の配電線からの融通送電を必要とする重要設備に関する設備情報を記憶する設備情報記憶部と、配電系統の監視情報を記憶する監視情報記憶部と、前記設備情報と前記監視情報とに基づいて、前記重要設備の配電系統情報を作成する設備状態把握部と、前記監視情報に基づいて、前記重要設備の位置情報を把握する位置確認部と、前記配電系統情報と前記位置情報とに基づいて、前記重要設備に対して送電を行う送電ルートを検索する優先送電ルート検索部と、前記優先送電ルート検索部が設定した送電ルートについて、前記設備情報と前記監視情報とに基づいて融通送電を行う融通手順を作成する融通手順作成部と、を有する。
【図面の簡単な説明】
【０００９】
【図１】第一の実施形態の配電系統監視制御装置の構成の一例を示す構成図である。
【図２】第一の実施形態における設備情報の一例を示す表である。
【図３】第一の実施形態における配電系統情報の一例を示す表である。
【図４】第一の実施形態における配電系統監視制御装置の送電ルートを決定するフローの一例を示すフローチャートである。
【図５】第一の実施形態において選択される送電ルートを示す配電線路図である。
【図６】第二の実施形態の配電系統監視制御装置の構成の一例を示す構成図である。
【図７】第二の実施形態において選択される送電ルートを示す配電線路図である。
【図８】第三の実施形態の配電系統監視制御装置の構成の一例を示す構成図である。
【図９】第三の実施形態において選択される送電候補開閉器および送電ルートを示す配電線路図である。
【図１０】第四の実施形態の配電系統監視制御装置の構成の一例を示す構成図である。
【発明を実施するための形態】
【００１０】
［第一の実施形態］
［１．構成］
以下、本発明の第一の実施形態について、図面を参照して説明する。なお、以下の説明では、配電系統監視制御装置において、他の配電線からの融通送電を行う構成について重点的に説明し、事故区間を検出するための構成等、その他の構成については省略する。図１は、本実施形態の配電系統監視制御装置Ａの一例を示す構成図である。配電系統監視制御装置Ａは、配電系統Ｂに接続されている。配電系統Ｂは、重要設備Ｂ１を有する。なお、配電系統Ｂは、重要設備Ｂ１を複数含んでいても良い。
【００１１】
重要設備Ｂ１は、配電系統Ｂにおいて、停電による被害が甚大となる可能性がある設備である。重要設備Ｂ１としては、病院、消防署、警察署、学校等がある。また、病院の医療設備や消防署における防災関連設備など、特定の設備を重要設備Ｂ１としてもよい。すなわち、事故発生時等に、融通送電が必要であると判断される設備を、重要設備Ｂ１とすることができる。
【００１２】
配電系統監視制御装置Ａは、具体的には、入力部２０や出力部３０が接続された、ＣＰＵやメモリを含み所定のプログラムで動作するコンピュータや専用の電子回路で構成されている。入力部２０には、オペレータからの情報入力を受け入れる入力装置と、入力された情報を配電系統監視制御装置Ａに通知するインターフェースが含まれる。この入力部２０は、例えばオペレータが配電系統監視制御装置Ａへの操作要求や、設定値の変更を入力する手段である。入力装置としては、例えば、タッチパネル(出力部３０の表示装置に設置されているものを含む）、マウス、およびキーボードなどを用いることができる。
【００１３】
出力部３０には、配電系統監視制御装置Ａからの情報を出力するインターフェースと、出力された情報に基づいてオペレータに操作内容の確認や選択をさせる画面を表示する表示装置が含まれる。この出力部３０は、例えば配電系統監視制御装置Ａが設定した送電ルートを示したり、システムやオペレータの操作に対する警報を表示する手段である。表示装置としては、例えば、液晶表示パネルなどの表示画面を持つディスプレイを用いることができる。
【００１４】
配電系統監視制御装置Ａは、設備情報記憶部１、監視情報記憶部２、設備状態把握部３、優先送電ルート設定部４、融通手順作成部５、融通手順記憶部６、を含む。
【００１５】
（１）設備情報記憶部
設備情報記憶部１は、設備情報を記憶する記憶部である。設備情報は、例えば、ある重要設備Ｂ１について、送電の優先順位や必要電力量等に関する情報を含む。具体的には、図２に示す通り、優先順位、重要設備、およびその重要設備が融通送電により必要とする電力量等を設備情報として記憶しても良い。
【００１６】
（２）監視情報記憶部
監視情報記憶部２は、配電系統Ｂの監視情報を記憶する処理部である。監視情報は、重要設備Ｂ１が停電しているか、または充電しているかの情報を含む。監視情報は、後述する位置確認部４２にも出力される。
【００１７】
（３）設備状態把握部
設備状態把握部３は、配電系統Ｂの状態の把握を行う処理部である。設備状態把握部３には、設備情報記憶部１に記憶されている設備情報と、監視情報記憶部２に記憶されている監視情報とが入力される。設備状態把握部３は、設備情報記憶部１の設備情報と、監視情報記憶部２の監視情報とに基づいて、重要設備Ｂ１の配電系統情報を作成する。
【００１８】
具体的には、図３に示す通り、優先順位、重要設備、その重要設備が融通送電により必要とする電力量、およびその重要設備が充停電のいずれの状態にあるか等の情報を、配電系統情報として作成しても良い。設備状態把握部３により作成された配電系統情報は、優先送電ルート設定部４に出力される。
【００１９】
（４）優先送電ルート設定部
優先送電ルート設定部４は、重要設備Ｂ１に対して送電ルートを設定する処理部である。優先送電ルート設定部４は、送電ルート記憶部４１、位置確認部４２、優先送電ルート検索部４３、優先送電ルート記憶部４４を有する。
【００２０】
（ａ）送電ルート記憶部
送電ルート記憶部４１は、重要設備Ｂ１ごとに、融通送電の際に用いる送電ルートを記憶する記憶部である。記憶される送電ルートは、送電ルート上の全ての開閉器を記憶していても良いし、重要設備Ｂ１までの経由点となる開閉器としても良い。送電ルートまたは開閉器は、オペレータが入力部２０を介して予め送電ルート記憶部４１に記憶させておけば良い。
【００２１】
送電ルートおよび開閉器は、ひとつの重要設備Ｂ１に対して複数記憶させても良い。各重要設備Ｂ１に対して複数の送電ルートを記憶する場合には、例えば送電が行える可能性が高い送電ルートの順位とともに記憶することができる。すなわち、送電ルートに優先順位を設けておいても良い。記憶されている送電ルートは、優先送電ルート検索部４３に出力されるように構成されている。
【００２２】
送電ルートとしては、重要設備Ｂ１が所属する配電線以外の配電線から、重要設備Ｂ１に至るルートを記憶しても良い。例えば、配電線Ａの開閉器１→開閉器２→開閉器３→開閉器４→重要設備Ｂ１というように、重要設備Ｂ１に至るまでの開閉器を全て記憶することができる。また、例えば、開閉器２、開閉器４というように、重要設備Ｂ１に至るのに最低限必要な経由点だけを記憶することもできる。他にも、所定の経由点を通過する複数の送電ルートを記憶しておいても良い。経由点は、１つの配電線と他の配電線を接続する部分に設けられた開閉器としても良い。
【００２３】
（ｂ）位置確認部
位置確認部４２は、配電系統Ｂに接続されている重要設備Ｂ１の位置情報を把握する処理部である。位置確認部４２は、優先送電ルート検索部４３からの取得要求に基づいて、重要設備Ｂ１について、入力された監視情報を基に位置情報を把握する。なお、重要設備Ｂ１の位置情報が予め記憶されている構成としても良い。把握された位置情報は、優先送電ルート検索部４３に出力される。
【００２４】
位置情報とは、重要設備Ｂ１が、どの配電線に位置するか、どの送電ルートに接続されているか等の情報を含む。位置情報としては、例えば、ＦＣＢ１上において開閉器１の後に重要設備Ｂ１があるというような情報でも良いし、ノードの番号とすることもできる。開閉器１と開閉器２の接続点に重要設備Ｂ１が位置するという情報でも良い。
【００２５】
（ｃ）優先送電ルート検索部
優先送電ルート検索部４３は、重要設備Ｂ１に対する送電ルートを決定する処理部である。優先送電ルート検索部４３は、設備状態把握部３から入力された配電系統情報と、位置確認部４２から入力された位置情報に基づいて、送電ルート記憶部４１に記憶されている送電ルートから最も適切な送電ルートを検索する。優先送電ルート検索部４３は、配電系統情報に含まれる優先順位が高い重要設備Ｂ１から順に、送電ルートを検索する構成とする。また、配電系統情報に含まれる監視情報が充電である重要設備Ｂ１については、送電ルートを検索しない構成としても良い。
【００２６】
優先送電ルート検索部４３は、例えば最優先の重要設備Ｂ１である病院について、送電ルートを検索する。優先送電ルート検索部４３は、位置確認部４２から入力された病院が開閉器１と開閉器２の接続点に位置するという実際の位置情報と、送電ルート記憶部４１に記憶されている経由点を開閉器１とするという情報から、充電状態の配電線から開閉器１を経由し病院まで送電する送電ルートを検索する。
【００２７】
なお、優先送電ルート検索部４３には、例えば検出された事故点および事故区間に関する情報や、融通送電の対象となる区間に関する情報が不図示の処理部から入力されている。これらの情報に基づいて、優先送電ルート検索部４３は、例えば停電区間外の配電線から、重要設備Ｂ１に至る送電ルートを検索する。検索された送電ルートは、優先送電ルート記憶部４４に記憶される。
【００２８】
（ｄ）優先送電ルート記憶部
優先送電ルート記憶部４４は、優先送電ルート検索部４３が決定した送電ルートを記憶する記憶部である。優先送電ルート検索部４３が求めた重要設備Ｂ１に対する送電ルートは、例えば病院：ルートＸ、学校：ルートＹというように、重要設備ごとに記憶されている。優先送電ルート記憶部４４は、記憶された送電ルートを、融通手順作成部５に出力する。
【００２９】
（５）融通手順作成部
融通手順作成部５は、優先送電ルート記憶部４４から入力された送電ルートに基づいて、設備情報記憶部１に記憶されている設備情報と、監視情報記憶部２に記憶されている監視情報とを参照し、融通送電を行う融通手順を作成する処理部である。融通手順とは、送電ルートにおいて、開閉器を開閉する順番等、重要設備Ｂ１に対して送電するための手順である。融通手順作成部５は、決定された送電ルートによって重要設備Ｂ１へ送電可能か否かを判断する機能を有する。
【００３０】
融通手順作成部５は、例えば設備情報に含まれる必要電力量を参照し、決定された送電ルートで必要電力量を満たすことができるかを確認する構成を有する。配電線を複数またぐ等、送電範囲が広い場合、負荷が大きくなり必要電力量を満たすことができないことがあるからである。また、融通手順作成時の監視情報を参照し、決定された送電ルートで送電を行うことが可能か否かを確認する構成を有する。送電ルート決定後に停電が拡大し、決定した送電ルートでは送電することができないことがあるからである。
【００３１】
融通手順作成部５において、融通手順が作成可能であった場合には、作成された融通手順は融通手順記憶部６に記憶される。なお、融通手順が作成不可能であった場合には、より優先順位の低い送電ルートを優先送電ルート検索部４３が検索し、融通手順の作成を行う構成としてもよい。また、オペレータが送電ルート記憶部４１に予め記憶した送電ルートが全て使用できない場合には、オペレータが入力部２０を介して他のルートを選択するか配電系統監視制御装置Ａが自動検索したルートを使用する構成としても良い。
【００３２】
（６）融通手順記憶部
融通手順記憶部６は、融通手順作成部５において作成された融通手順を記憶する記憶部である。融通手順記憶部６に記憶された融通手順は、出力部３０に出力され、表示部に表示される。
【００３３】
［２.作用］
以上のような本実施形態の配電系統監視制御装置Ａにおける、融通送電を行う送電ルートを設定するフローを、図４および５を参照して説明する。なお、例えば事故発生時において、事故及び事故区間を検出するフロー、および融通対象区間を判断するフローについては、周知の機能であることから説明を省略する。以下の説明では、重要設備Ｂ１に対して送電を行う送電ルートを決定するフローについて重点的に説明する。
【００３４】
本実施形態では、図５に示す通り、停電配電線であるＦＣＢ２からＦＣＢ５が融通対象区間であるとし、ＦＣＢ３上の重要設備Ｂ１に送電を行うルートを決定する例について説明する。また、設備情報記憶部１に記憶されている設備情報は、図２に示す設備情報とし、病院、警察、学校に関する情報を含む。
【００３５】
事故が検出されると、設備状態把握部３は、設備情報記憶部１に記憶されている設備情報と、監視情報記憶部２に記憶されている監視情報に基づいて、重要設備Ｂ１の配電系統情報を作成する（ステップＳ０１）。図５に示す重要設備Ｂ１は、設備情報において優先順位が１位である病院である。従って、設備状態把握部３が作成する配電系統情報には、病院の必要電力量および充停電状態が配電系統情報に含まれる。ここでは、病院は停電状態であり、必要電力量は２００ｋＷｈである。作成された配電系統情報は、優先送電ルート検索部４３に出力される。
【００３６】
優先送電ルート検索部４３は、重要設備Ｂ１の位置情報の取得要求を位置確認部４２に出力する。位置確認部４２は、監視情報記憶部２に記憶されている監視情報から、重要設備Ｂ１である病院の位置情報を把握する。把握された位置情報は、優先送電ルート検索部４３に出力される（ステップＳ０２）。図５の例では、重要設備Ｂ１の位置情報としては、病院はＦＣＢ３上にあり、開閉器ＳＷ３−２と、開閉器ＳＷ３−２と開閉器ＳＷ２−４の接続点の間にあるという情報が含まれる。
【００３７】
優先送電ルート検索部４３は、入力された位置情報を基に、送電ルート記憶部４１に記憶されている送電ルートから、重要設備Ｂ１に送電を行う送電ルートを検索する（ステップＳ０３）。優先送電ルート検索部４３は、例えば、融通対象区間外の充電配電線であるＦＣＢ６から重要設備Ｂ１に至る送電ルートを、送電ルート記憶部４１から検索する。図５に示す通り、送電ルート記憶部４１に、ＦＣＢ６→開閉器ＳＷ６−１→開閉器ＳＷ５−４→開閉器ＳＷ５−２→開閉器ＳＷ４−４→開閉器ＳＷ３−４→開閉器ＳＷ３−２→重要設備Ｂ１という送電ルートが記録されていた場合、優先送電ルート検索部４３は、この送電ルートを選択する。
【００３８】
または、送電ルート記憶部４１に、経由点となる開閉器ＳＷ５−４、開閉器ＳＷ４−４、開閉器ＳＷ３−４が記憶されている場合、優先送電ルート検索部４３は、ＦＣＢ６から開閉器ＳＷ５−４、開閉器ＳＷ４−４、開閉器ＳＷ３−４を介して重要設備Ｂ１に至る送電ルートを検索しても良い。以上のようにして決定された送電ルートは、優先送電ルート記憶部４４に出力される。
【００３９】
融通手順作成部５は、優先送電ルート記憶部４４に記憶された送電ルートに基づいて、設備情報と監視情報とを参照し、融通送電を行う融通手順を作成する（ステップＳ０４）。例えば必要電力量の不足や事故範囲の拡大により融通手順が作成できなかった場合には（ステップＳ０４のＮＯ）、ステップＳ０３に戻り、優先送電ルート検索部４３が新たな送電ルートを検索する。以上のようにして、重要設備Ｂ１について融通手順が作成されるまで、ステップＳ０３およびＳ０４を繰り返す。
【００４０】
一方、優先送電ルート検索部４３が決定した送電ルートについて、融通手順を作成できた場合には（ステップＳ０４のＹＥＳ）、作成された融通手順が融通手順記憶部６に保存され、出力部３０において表示される（ステップＳ０５）。オペレータは、出力部３０に表示された融通手順を確認し、融通送電の操作を行う。
【００４１】
また、優先送電ルート検索部４３は、設備状態把握部３の配電系統情報において、融通送電を行う必要がある他の重要設備が存在するか否かを確認する（ステップＳ０６）。他の重要設備が存在する場合には（ステップＳ０６のＹＥＳ）、例えば優先順位の順番で他の重要設備についてステップＳ０２〜Ｓ０５の手順を行う。一方、他の重要設備が存在しない場合には（ステップＳ０６のＮＯ）、処理を終了する。
【００４２】
［３．効果］
以上のような本実施形態の作用効果を以下に説明する。
（１）本実施形態の配電系統監視制御装置Ａは、他の配電線からの融通送電を必要とする重要設備Ｂ１に関する設備情報を記憶する設備情報記憶部１と、配電系統Ｂの監視情報を記憶する監視情報記憶部２と、設備情報と前記監視情報とに基づいて、重要設備の配電系統情報を作成する設備状態把握部３と、監視情報に基づいて、重要設備Ｂ１の位置情報を把握する位置確認部４２と、配電系統情報と位置情報とに基づいて、重要設備に対して送電を行う送電ルートを検索する優先送電ルート検索部４３と、優先送電ルート検索部４３が設定した送電ルートについて、設備情報と監視情報とに基づいて融通送電を行う融通手順を作成する融通手順作成部５と、を有する。従って、重要設備Ｂ１への送電経路を確保することが可能となり、重要設備Ｂ１への迅速な優先送電が実現される。そのため、重要設備Ｂ１の復旧を優先しつつ融通送電を行うことで電力供給サービスのレベルを向上させることが可能となる。
【００４３】
（２）送電ルートが予め記憶されている送電ルート記憶部４１を有し、優先送電ルート検索部４３は、送電ルート記憶部４１に記憶されている送電ルートから、重要設備Ｂ１に対して送電を行う送電ルートを検索する。従って、オペレータが予め設定した送電ルートから、迅速に送電ルートを決定することが可能となる。
【００４４】
（３）設備情報記憶部１は、複数の重要設備Ｂ１に関する設備情報を記憶する記憶部であり、設備情報は、複数の重要設備について融通送電を行う優先順位に関する情報を含み、優先送電ルート設定部４３は、優先順位の順に、重要設備Ｂ１に対して送電を行う送電ルートを設定する。従って、例えば停電によってより大きな影響を受けることが想定される重要設備の優先順位を高く設定することで、優先度が高い重要設備Ｂ１に対する融通送電を優先的に行うことができる。
【００４５】
（４）配電系統情報は、重要設備Ｂ１が充停電のいずれの状態にあるかに関する情報を含み、優先送電ルート設定部４は、停電状態にある重要設備Ｂ１について重要設備Ｂ１に対して送電を行う送電ルートを設定する。従って、停電状態の重要設備Ｂ１について優先的に送電ルートを設定することができるため、電力供給サービスのレベルを向上させることが可能となる。
【００４６】
（５）予め記憶されている送電ルートが、重要設備Ｂ１への経由点とした場合には、経由点を介した複数の送電ルートが検索可能となる。従って、優先送電ルート検索部４３において柔軟性のある送電ルートの検索が可能となるため、電力供給サービスのレベルを向上させることが可能となる。
【００４７】
［第二の実施形態］
第二の実施形態の配電系統監視制御装置Ａの構成は、基本的には第一の実施形態と同じである。ただし、図６に示す通り、優先送電ルート設定部４は、検索条件記憶部４５を有する。検索条件記憶部４５は、優先送電ルート検索部４３が送電ルート記憶部４１から送電ルートを検索するときに用いられる、検索条件を記憶する記憶部である。記憶されている検索条件は、優先送電ルート検索部４３に出力される。
【００４８】
検索条件は、配電線の段数および距離とすることができる。配電線の段数とは、重要設備Ｂ１を原点として指定するものであり、重要設備Ｂ１に送電する際に経由する配電線の数を示す。配電線の段数は、例えば２段以下とすることができる。距離は、充電配電線から重要設備Ｂ１に至るまでの距離であり、例えば１０ｋｍ以下とすることができる。段数や距離の値が小さい程、電圧降下量が少なくなる。
【００４９】
また、検索条件として、電圧降下量を用いても良い。電圧降下量は、充電配電線の電圧が重要設備に至るまでに降下する量であり、例えば１０Ｖ以下とすることができる。他にも、検索条件として、設備情報として記憶されている重要設備の必要電力量を用いても良い。例えば、重要設備Ｂ１の必要電力量が２００Ｋｗｈである場合には、２００Ｋｗｈ以上の電力量とすることができる。
【００５０】
以上のような閾値の設定に代えて、より段数が少ない、より距離が短い、より電圧降下量が少ない、というような検索条件を設けても良い。検索条件は、１つ１つを独立して用いても良いし、複数の条件を組み合わせても良い。例えば、配電線の段数を２段以下に設定しても、配電線間の距離が大きい場合には電圧降下が大きくなる。このような場合には、配電線の段数を２段以下、距離を１０ｋｍ以下とする検索条件としても良い。このような検索条件は、入力部２０を介して予めオペレータが入力しておけば良い。
【００５１】
以上のような構成を有する本実施形態では、優先送電ルート検索部４３は、検索条件を満たす送電ルートを検索する。ここでは、検索条件として、「より段数が少ない」送電ルートを選択するという条件が記憶されているものとする。優先送電ルート検索部４３は、入力された重要設備の位置情報を基に、送電ルート記憶部４１に記憶されている送電ルートから、重要設備Ｂ１に送電を行う送電ルートを検索する。
【００５２】
送電ルート記憶部４１に２つの送電ルートが記憶されていた場合の例を、図７を用いて説明する。送電ルート記憶部４１には、以下の２つの送電ルートが記憶されている。
（１）ＦＣＢ６→開閉器ＳＷ６−１→開閉器ＳＷ５−４→開閉器ＳＷ５−２→開閉器ＳＷ４−４→開閉器ＳＷ３−４→開閉器ＳＷ３−２→重要設備Ｂ１
（２）ＦＣＢ１→開閉器ＳＷ１−１→開閉器ＳＷ１−３→開閉器ＳＷ２−２→開閉器ＳＷ２−４→重要設備Ｂ１
【００５３】
優先送電ルート検索部４３は、検索条件記憶部４５に記憶されている「より段数が少ない」という検索条件を満たす送電ルートを、送電ルート記憶部４１に記憶されている送電ルートのから選択する。すなわち、図７の例では、より配電線の段数が少ない上記送電ルート（２）が選択され、優先送電ルート記憶部４４に記憶される。
【００５４】
以上のような本実施形態では、上記実施形態に加えて以下の効果を得ることができる。本実施形態では、重要設備Ｂ１に対して送電を行う送電ルートを検索する条件が記憶されている検索条件記憶部４５を有し、優先送電ルート設定部４は、検索条件を満たす送電ルートを、重要設備Ｂ１に対して送電を行う送電ルートとして設定する。従って、送電ルート記憶部４１に記憶されている送電ルートが複数ある場合でも、検索条件に該当する送電ルートを抽出することができる。従って、重要設備Ｂ１への迅速な融通送電が実現される。
【００５５】
また、本実施形態では、配電線の段数、距離、電力降下量、電力必要量などの検索条件を用いて送電ルートを設定している。このような検索条件を用いて設定された送電ルートの場合、融通手順作成部５において送電可能と判断される可能性が高くなる。従って、融通手順が作成されず、再度送電ルートを設定する必要が生じる可能性が低くなる。従って、重要設備Ｂ１への迅速な融通送電が実現される。
【００５６】
［第三の実施形態］
第三の実施形態の配電系統監視制御装置Ａは、基本的には第一の実施形態と同じである。ただし、図８に示す通り、配電系統監視制御装置Ａは、充停電情報記憶部７を有する。充停電情報記憶部７は、配電系統Ｂの充停電情報を記憶する処理部である。充停電情報は、配電系統Ｂの各開閉器等が充電しているか、停電しているかの情報を含む。充停電情報は、優先送電ルート設定部４に出力される。充停電情報は、融通手順作成部５に出力され、送電の可否の判断に用いることができる。
【００５７】
以上のような構成を有する本実施形態では、優先送電ルート検索部４３は、充停電情報を用いて送電ルートを検索する。なお、本実施形態では、送電ルートが予め送電ルート記憶部４１に記憶されていない重要設備Ｂ１に対して、送電ルートを設定する例に作用効果を説明する。優先送電ルート検索部４３は、入力された充停電情報を基に、開閉器の両端に接続しているノードのうち、片方が充電状態である開閉器を検索する。
【００５８】
例えば、図９の例では、ＦＣＢ２からＦＣＢ５が停電配電線となっている。そのため、充電配電線のＦＣＢ１と停電配電線のＦＣＢ２の間にある開閉器ＳＷ１−３に接続されているノードのうち、ＦＣＢ１側のノードが充電状態となる。また、停電配電線のＦＣＢ５と充電配電線のＦＣＢ６の間にある開閉器ＳＷ５−４に接続されているノードのうち、ＦＣＢ６側のノードが充電状態となる。従って、優先送電ルート検索部４３は、開閉器ＳＷ１−３と開閉器ＳＷ５−４を送電候補開閉器とする。優先送電ルート検索部４３は、入力された位置情報を基に、送電候補開閉器を介して重要設備Ｂ１に至る送電ルートを検索する。
【００５９】
従って、本実施形態では、以下の２つの送電ルートが検出される。
（１）ＦＣＢ６→開閉器ＳＷ６−１→開閉器ＳＷ５−４→開閉器ＳＷ５−２→開閉器ＳＷ４−４→開閉器ＳＷ３−４→開閉器ＳＷ３−２→重要設備Ｂ１
（２）ＦＣＢ１→開閉器ＳＷ１−１→開閉器ＳＷ１−３→開閉器ＳＷ２−２→開閉器ＳＷ２−４→重要設備Ｂ１
以上のように送電ルートが複数検索された場合には、オペレータが手動で選択するか、優先送電ルート検索部４３が自動で選択したルートを使用する。
【００６０】
以上のような本実施形態では、上記実施形態に加えて以下の作用効果を得ることができる。本実施形態の配電系統監視制御装置Ａは、配電系統の充停電情報を記憶する充停電情報記憶部７を有し、優先送電ルート検索部４３は、開閉器の両端に接続しているノードのうち、片方が充電状態である開閉器を検索し、当該開閉器を経由する、重要設備Ｂ１に対して送電を行う送電ルートを検索する。従って、送電ルート記憶部４１に予め送電ルートが記憶されていない重要設備Ｂ１についても、送電候補開閉器を検索することで、送電ルートの設定が可能となる。そのため、重要設備Ｂ１の復旧を優先しつつ融通送電を行うことで、電力供給のサービスのレベルを向上させることができる。
【００６１】
［第四の実施形態］
第四の実施形態の配電系統監視制御装置Ａは、基本的には第三の実施形態と同じである。ただし、図１０に示す通り、優先送電ルート設定部４は、検索条件記憶部４５を有する。検索条件記憶部４５は、優先送電ルート検索部４３が送電ルート記憶部４１から送電ルートを検索するときに用いられる、検索条件を記憶する記憶部である。記憶されている検索条件は、優先送電ルート検索部４３に出力される。すなわち、本実施形態は、第二の実施形態と第三の実施形態を組み合わせた構成を有する。
【００６２】
本実施形態では、検索条件を送電候補開閉器の条件とすることができる。具体的には、検索条件として、１段配電線に所属する片側充電の開閉器、という条件を用いることができる。同様に、距離が１０ｋｍ以下の片側充電の開閉器、電圧降下量が１０Ｖ以下の片側充電の開閉器、という条件を用いても良い。
【００６３】
以上のような構成を有する本実施形態では、優先送電ルート検索部４３は、検索された片側充電の開閉器から、検索条件を満たす片側充電の開閉器を選択する。ここでは、検索条件として、「２段または１段配電線に所属する片側充電の開閉器」を経由する送電ルートを選択する検索条件が記憶されているものとする。
【００６４】
第三の実施形態では、図９の例において、片側充電の開閉器として、開閉器ＳＷ１−３と開閉器ＳＷ５−４が送電候補開閉器とされそれぞれについて送電ルートが検索されていた。ただし、本実施形態では、検索条件を満たす開閉器は開閉器ＳＷ１−３であり、３段配電線に所属する開閉器ＳＷ５−４は、送電候補対象外となる。従って、優先送電ルート検索部４３は、重要設備Ｂ１を原点とし、開閉器ＳＷ１−３を経由する送電ルートを検索する。
【００６５】
以上のような本実施形態では、上記実施形態に加えて以下の効果を得ることができる。本実施形態の配電系統監視制御装置Ａは、配電系統の充停電情報を記憶する充停電情報記憶部７を有し、優先送電ルート検索部４３は、開閉器の両端に接続しているノードのうち、片方が充電状態である開閉器を検索し、当該開閉器を経由する、重要設備Ｂ１に対して送電を行う送電ルートを検索する。また、重要設備Ｂ１に対して送電を行う送電ルートを検索する条件が記憶されている検索条件記憶部４５を有し、優先送電ルート設定部４は、検索条件を満たす送電ルートを、重要設備Ｂ１に対して送電を行う送電ルートとして設定する。従って、送電ルート記憶部４１に予め送電ルートが記憶されていない重要設備Ｂ１についても、送電候補開閉器を検索することで、送電ルートの設定が可能となる。また、検索された送電候補開閉器が複数ある場合でも、検索条件に該当する送電ルートを抽出することができる。従って、重要設備Ｂ１への迅速な融通送電が実現される。
【００６６】
［他の実施形態］
（１）電力系統監視制御装置Ａは、ＣＰＵ等を含むコンピュータを所定のプログラムで制御することによって実現できる。この場合のプログラムは、コンピュータのハードウェアを物理的に活用することで、上記のような各部の処理を実現するものである。
【００６７】
上記の各部の処理を実行する方法、プログラム及びプログラムを記録した記録媒体も、実施形態の一態様である。また、ハードウェアで処理する範囲、プログラムを含むソフトウェアで処理する範囲をどのように設定するかは、特定の態様には限定されない。たとえば、上記の各部のいずれかを、それぞれの処理を実現する回路として構成することも可能である。また、上記の各処理部、記憶部等は、共通のコンピュータにおいて実現してもよい。
【００６８】
（２）上記の第三の実施形態では、優先送電ルート検索部４３が送電候補開閉器を検索し、検索した送電候補開閉器を介して重要設備Ｂ１に至る送電ルートを検索するものとした。すなわち、第三の実施形態においては、送電ルート記憶部４１は、必須の構成要素ではない。ただし、優先送電ルート検索部４３が検索した送電候補開閉器を介する送電ルートを、送電ルート記憶部４１に記憶された送電ルートより検索する構成としても良い。
【００６９】
（３）実施形態に用いられる情報の具体的な内容、値は自由であり、特定の内容、数値には限定されない。実施形態において、情報が示す値に対する過不足、大小判断、一致不一致の判断等において、以上、以下、として値を含めるように判断するか、より大きい、より小さい、超える、超えない、上回る、下回る、足りない、未満として値を含めないように判断するかも自由である。
【００７０】
（４）上記実施形態は、適宜組み合わせることが可能である。すなわち、実施形態の全てを組み合わせることにより、その全ての作用効果を得ることができる。
【００７１】
（５）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
Ａ…配電系統監視制御装置
Ｂ…配電系統
Ｂ１…重要設備
１…設備情報記憶部
２…監視情報記憶部
３…設備状態把握部
４…優先送電ルート設定部
４１…送電ルート記憶部
４２…位置確認部
４３…優先送電ルート検索部
４４…優先送電ルート記憶部
４５…検索条件記憶部
５…融通手順作成部
６…融通手順記憶部
７…充停電情報記憶部
２０…入力部
３０…出力部
【図１】
2016123221.tif 000003
【図２】
2016123221.tif 000004
【図３】
2016123221.tif 000005
【図４】
2016123221.tif 000006
【図５】
2016123221.tif 000007
【図６】
2016123221.tif 000008
【図７】
2016123221.tif 000009
【図８】
2016123221.tif 000010
【図９】
2016123221.tif 000011
【図１０】
2016123221.tif 000012